(57)【要約】【課題】年、月、日及び曜日を自動的に、且つ明確に表示することにより、高齢者においても的確に現在の日付や曜日を認識することができるデジタルカレンダー装置を提供する。【解決手段】月表示部１０、日表示部１１、曜日表示部１２および年表示部１３からなるデジタル表示部２と、デジタル表示部２を保持するケース体３とを備え、該デジタル表示部２が自動変換方式である。また、ケース体に吊下具、脚部、太陽ソーラーパネル等を装着してもよい。【選択図】図１
0003170818.tif 000002
【実用新案登録請求の範囲】
【請求項１】
月表示部、日表示部、曜日表示部および年表示部からなるデジタル表示部と、デジタル表示部を保持するケース体とを備え、該デジタル表示部が自動変換方式であることを特徴とするデジタルカレンダー装置。
【請求項２】
前記デジタル表示部に、二十四節気等を表示するイメージ表示部を備えた請求項１記載のデジタルカレンダー装置。
【請求項３】
前記月表示部、日表示部、曜日表示部および年表示部が発光材にて構成されている請求項１または２記載のデジタルカレンダー装置。
【請求項４】
前記ケース体に吊下具を装着した請求項１〜３のうちいずれか一項記載のデジタルカレンダー装置。
【請求項５】
前記ケース体に脚部を装着した請求項１〜３のうちいずれか一項記載のデジタルカレンダー装置。
【請求項６】
前記ケース体に揺動可能の脚部を装着した請求項１〜３のうちいずれか一項記載のデジタルカレンダー装置。
【請求項７】
前記デジタルカレンダー装置に太陽ソーラーパネルを連結した請求項１乃至６のうちいずれか一項に記載のデジタルカレンダー装置。
【考案の詳細な説明】
【技術分野】
【０００１】
本考案は、年、月、日および曜日を自動的に、且つ明確に表示することにより、高齢者においても容易に年、月、日および曜日を認識することができるデジタルカレンダー装置に関する。
【背景技術】
【０００２】
一般的なカレンダーには、１ページに１日の日が記載された日めくりカレンダーや、冊子状に形成され、１枚の表示部分に月単位の日付を記載した月表示のカレンダー等がある。また前記カレンダーには、春分や秋分等の二十四節気が記載されている場合もある。
【０００３】
しかしながら、日めくりカレンダーにおいては、日付が記載されたページを毎日１枚ずつ切り取らなければならず、非常に面倒であった。また、日めくり作業を忘れると正確な日付がわからなくなり、カレンダーの機能を発揮しなくなるという問題があった。
【０００４】
さらに、月表示のカレンダーは、１枚の紙に複数の数字（１か月分の日付）が記載されているため、現在の日と曜日を確認するのが必ずしも容易ではなく、特に高齢者や認知症患者においては、現在の年、月、日、曜日を認識するのは非常に困難であった。
【０００５】
これらの問題を解消するために、特許文献１では、音声により情報提供を行うことができ、さらに情報の追加変更も可能で、特別日を顕在的に明示することができる電子カレンダーが報告されている。
【０００６】
上掲特許文献１に記載された電子カレンダーは、カレンダー画面を表示するカレンダー表示部と、年表示、月表示および日表示のいずれかの表示に切り換える表示切換操作手段と、初期設定から現在までの年月日を計数する年月日計数手段と、カレンダーに関する所定のデータが記載されたデータ記憶部と、前記表示切換操作手段による切換信号を受けて前記年月日計数手段により計数された現在日に基いて前記データ記憶部から所定のカレンダー情報を読み出し前記カレンダー表示部に表示させる表示切換制御手段と、前記年月日計数手段により計数された現在の日付を他の日付よりも目立つように表示させる現在日明示手段と、人を感知する対人感知器と、少なくとも現在日を告知できる音声データを記憶する音声データ記憶部と、対人感知器が感知した場合に前記音声データ記憶部から現在日に応じた所定の音声データを読み出して再生する音声再生手段とを有する。
【先行技術文献】
【特許文献】
【０００７】
【特許文献１】実用新案登録第３０７９３３０号公報（実用新案登録請求の範囲等）
【考案の概要】
【考案が解決しようとする課題】
【０００８】
上掲特許文献１の電子カレンダーにおいては、現在の日付を他の日付よりも目立つように表示する現在日明示手段が具備されているが、日付のみが明確になり、現在日とその月および曜日との関連性が必ずしも明確ではないという欠点があった。また、音声再生手段、対人感知器、各種設定ボタン等の複雑な機器を備えているため、操作が複雑になるとともに、製造コストも増大するという問題があった。
【０００９】
そこで本考案の目的は、年、月、日及び曜日を自動的に、且つ明確に表示することにより、高齢者や認知症患者においても、容易に現在の年、月、日と曜日を認識することができるデジタルカレンダー装置を提供することにある。
【課題を解決するための手段】
【００１０】
上記課題を解決するために、本考案のデジタルカレンダー装置は、月表示部、日表示部、曜日表示部および年表示部からなるデジタル表示部と、デジタル表示部を保持するケース体とを備え、デジタル表示部が自動変換方式であることを特徴とするものである。本考案の好適実施形態を以下に列挙する
【００１１】
前記デジタル表示部には、二十四節気等を表示するイメージ表示部を備えることができる。
【００１２】
また、前記月表示部、日表示部、曜日表示部および年表示部を発光材にて構成することができる。
【００１３】
さらに、前記ケース体に吊下具を装着してもよい。
【００１４】
さらにまた、前記ケース体に脚部を装着してもよい。
【００１５】
さらにまた、前記ケース体に揺動可能の脚部を装着してもよい。
【００１６】
さらにまた、前記デジタルカレンダー装置の電源として太陽ソーラーパネルを連結してもよい。
【考案の効果】
【００１７】
本考案のデジタルカレンダー装置によれば、月表示部、日表示部、曜日表示部を拡大して表示させることで、現在の月、日、曜日を瞬時に、且つ明確に認識することができる。特に、一般の使用者はもとより、高齢者や認知症の患者において日付や曜日を容易に確認できるようにすることで、通院日等の管理を的確に行うことができる。
【００１８】
また、デジタル表示部に、二十四節気等を表示するイメージ表示部を備えることで、年間行事や季節の確認も行うことができる。
【００１９】
さらに、ケース体に吊下具や脚部を装着することで、デジタルカレンダー装置の設置の適用箇所を広げることができる。
【００２０】
さらにまた、前記デジタルカレンダー装置の電源として太陽ソーラーパネルを連結すれば、電池交換が不要になり利便性が向上する。
【図面の簡単な説明】
【００２１】
【図１】本考案の一実施の形態に係るデジタルカレンダー装置の正面図である。
【図２】前記デジタルカレンダー装置において、日付や曜日を表示した状態の正面図である。
【図３】イメージ表示部を備えた、本考案の他の実施の形態に係るデジタルカレンダー装置の正面図である。
【図４】各表示部に発光塗料を塗布した、本考案の他の実施の形態に係るデジタルカレンダー装置の正面図である。
【図５】吊下具を備えた、本考案の他の実施の形態に係るデジタルカレンダー装置の斜視図である。
【図６】脚部を備えた、本考案の他の実施の形態に係るデジタルカレンダー装置の斜視図である。
【図７】揺動可能の脚部を装着した、本考案の他の実施の形態に係るデジタルカレンダー装置の斜視図である。
【図８】太陽ソーラーパネルを連結した、本考案の他の実施の形態に係るデジタルカレンダー装置の斜視図である。
【考案を実施するための形態】
【００２２】
以下、本考案一実施の形態に係るデジタルカレンダー装置を図面に基づいて説明する。
【００２３】
本考案のデジタルカレンダー装置１では、年、月、日及び曜日を自動的に、且つ明確に表示する。これにより、高齢者においても的確に現在の日付と曜日を認識することができる。尚、時間は時計やテレビ等から容易に知ることができるため、あえて表示せず、その分、装置の簡素と、年、月、日及び曜日の表示を大きくすることを可能にした。
【００２４】
図示するデジタルカレンダー装置１は、デジタル表示部２と、デジタル表示部２を保持するケース体３とを備える。また、デジタル表示部２には、月表示部１０、日表示部１１及び曜日表示部１２の大表示部並びに年表示部１３が具備されている。これら表示部は液晶表示や発光素子による表示とすることができ、それ自体は既知の表示方式を採用することができる。
【００２５】
ケース体３は、デジタル表示部２を保持するとともに、内部には、月表示部１０、日表示部１１、曜日表示部１２および年表示部１３を日、月、年毎に自動的に更新させる制御装置（図示せず）と、それらを作動させる電池（図示せず）等が収容されている。尚、制御装置自体は、デジタル方式の時計で既知のものを採用することができる。
【００２６】
月表示部１０は、２桁の数字が表示できるように一対の表示部１０ａ，１０ｂからなり、側部には大形状の漢字「月」が印刷されている。月表示部１０において、現在の月（例えば７月）を表示する場合、図２に示すように表示部１０ｂに「７」が表示される。また、月表示部１０は、ケース体３内の制御装置により月毎に自動的に更新されるようにする。
【００２７】
日表示部１１も、２桁の数字が表示できるように一対の表示部１１ａ，１１ｂからなり、側部には大形状の漢字「日」が印刷されている。日表示部１１において、現在の日（例えば２２日）を表示する場合、図２に示すように表示部１１ａに「２」が、表示部１１ｂに「２」が表示される。日表示部１１も、ケース体３内の制御装置により日毎に自動的に更新されるようにする。
【００２８】
曜日表示部１２は単一の表示部からなり、側部には曜日を示す大形状の漢字「曜」が印刷されている。曜日表示部１２には、一週間の曜日「日」，「月」，「火」，「水」，「木」，「金」，「土」の大形状の漢字が表示される。図２においては、曜日表示部１２に大形状の漢字「金」が表示されている。曜日表示部１２もまた、ケース体３内の制御装置により日毎に自動的に更新されるようにする。なお、平日以外の「土」や「日」に、通常のカレンダーと同様に赤や青等の色彩を施すと、認識がより容易になる。
【００２９】
年表示部１３は、西暦表示部１３ａと、和暦（元号）表示部１３ｂとからなり、図２に示すように、現在の年（例えば西暦２０１１年、和暦平成２３年）が表示される。年表示部１３も、ケース体３内の制御装置により年毎に自動的に更新されるようにする。
【００３０】
本考案の一実施の形態に係るデジタルカレンダー装置１は、年表示部１３に比べ、月表示部１０、日表示部１１及び曜日表示部１２が拡大して表示されている。月表示部１０、日表示部１１、曜日表示部１２は、日常生活の中で頻繁に確認して日々の計画や行動を決定するものである。そのため、現在の年、月、日、曜日を瞬時に確認することができるようにすることで、高齢者や認知症の患者に対し、安心して日常生活を過ごすことができるようにすることが可能となる。
【００３１】
また、他の好適例として、図３に示すように、デジタル表示部２に二十四節気等を表示するイメージ表示部１４を設けてもよい。イメージ表示部１４は、春分や秋分等の二十四節気、元日や子供の日等の祝日、また誕生日や結婚記念日等を自動的に表示することができるようにする。イメージ表示部１４を設けることで、一年の行事や区切りが明確になり、高齢者や認知症患者に対し、日々の生活にめり張りを与えることができる。
【００３２】
また、本考案の他の好適例として、月表示部１０、日表示部１１、曜日表示部１２および年表示部１３を発光材にて構成してもよい。各表示部を、例えば発光塗料の塗布や発光素子での構成とすることにより、図４に示すように、暗闇においても各表示部が発光し、夜間においても日付等の確認を容易に行うことができる。
【００３３】
また、本考案の他の好適例として、図５に示すように、ケース体３に吊下具４を装着してもよい。吊下具４は、デジタルカレンダー装置１を壁面等に吊り下げるためのもので、ケース体３の上部に装着されている。
【００３４】
あるいはまた、本考案の他の好適例として、図６に示すように、ケース体３に脚部５を装着してもよい。ケース体３の底面に一対の脚部５を装着することで、デジタルカレンダー装置１を机状や床上に容易に立て掛けることができる。
【００３５】
さらに、本考案の他の好適例として、図７に示すように、ケース体３に揺動可能の脚部６を装着してもよい。脚部６は下部が湾曲状を呈しており、例えばデジタルカレンダー装置１に前後方向の圧力が加わったり、地震等による振動が発生したりした場合でも、デジタルカレンダー装置１が適宜揺動して転倒を防止することができる。なお、脚部６はロッキングチェアーに具備された如き湾曲形状の脚部とすることができる。
【００３６】
さらにまた、本考案の他の好適例として、図８に示すように、デジタルカレンダー装置１に電源として太陽ソーラーパネル７を連結してもよい。図示例では、太陽ソーラーパネル７は電源コード８によりケース体３内の制御装置に連結されている。電池に代え太陽ソーラパネル７を電源として用いることにより、電池交換が不要になり、一般利用者はもとより高齢者や認知症患者にとっても高い利便性を発揮する。
【符号の説明】
【００３７】
１  デジタルカレンダー装置
２  デジタル表示部
３  ケース体
４  吊下具
５  脚部
６  脚部
７  太陽ソーラーパネル
８  電源コード
１０  月表示部
１１  日表示部
１２  曜日表示部
１３  年表示部
１４  イメージ表示部
【図１】
0003170818.tif 000003
【図２】
0003170818.tif 000004
【図３】
0003170818.tif 000005
【図４】
0003170818.tif 000006
【図５】
0003170818.tif 000007
【図６】
0003170818.tif 000008
【図７】
0003170818.tif 000009
【図８】
0003170818.tif 000010